(57)【特許請求の範囲】
【請求項１】
ユーザに賃貸住宅の物件情報を提供する住宅情報サーバ、及び、ユーザにレンタカーを貸し出すレンタカーサービスを提供するレンタカーサーバ、の両方に通信可能な通信インタフェースと、
制御部と、
を備えた住宅・レンタカー連携サービスサーバであって、
前記制御部は、
前記住宅情報サーバから提供されユーザ端末において画面表示された少なくとも１つの特定物件情報に付加された図像に対しユーザによる所定操作がなされたことを、前記通信インタフェースを介して識別する操作識別処理と、
前記操作識別処理での前記所定操作の識別を契機に、当該所定操作がなされた前記図像に対応する前記特定物件情報に対し予め関連付けられた特定レンタカーサービスを提供可能な前記レンタカーサーバに対し、当該レンタカーサーバが提供する前記特定レンタカーサービスの内容を、前記特定物件情報を表示している前記ユーザ端末に表示させるよう、前記通信インタフェースを介し表示指示信号を送信する表示指示処理と、
を実行することを特徴とする住宅・レンタカー連携サービスサーバ。
【請求項２】
請求項１記載の住宅・レンタカー連携サービスサーバにおいて、
予め前記住宅情報サーバから取得された複数の前記特定物件情報と、予め前記レンタカーサーバから取得された、前記複数の特定物件情報に対応する複数の前記レンタカーサービスの内容と、が互いに関連付けて記憶された記憶部をさらに有し、
前記制御部は、
前記表示指示処理において、前記所定操作がなされた前記図像に対応する１つの前記特定物件情報に対し前記記憶部に関連付けて記憶された１つの特定レンタカーサービスを提供可能な前記レンタカーサーバに対し、前記１つの特定レンタカーサービスの内容を前記ユーザ端末に表示させる前記表示指示信号を前記レンタカーサーバへ送信する
ことを特徴とする住宅・レンタカー連携サービスサーバ。
【請求項３】
請求項１又は２記載の住宅・レンタカー連携サービスサーバにおいて、
前記制御部は、さらに、
前記ユーザ端末における入力に応じて送信される入居日情報を取得する入居日取得処理を実行し、
前記表示指示処理において、前記入居日取得処理で取得した前記入居日情報に対応して提供可能な前記特定レンタカーサービスの内容を表示させるよう、前記表示指示信号を送信する
ことを特徴とする住宅・レンタカー連携サービスサーバ。
【請求項４】
請求項３記載の住宅・レンタカー連携サービスサーバにおいて、
前記制御部は、さらに、
前記ユーザ端末における入力に応じて送信される、レンタカーの希望車種情報を取得する車種取得処理を実行し、
前記表示指示処理において、前記入居日取得処理で取得した前記入居日情報の表す入居日に、前記希望車種情報の表す車種を貸し出しできる場合は、当該車種の貸し出しを含む前記特定レンタカーサービスの内容を表示させるよう、前記表示指示信号を送信する
ことを特徴とする住宅・レンタカー連携サービスサーバ。
【請求項５】
請求項４記載の住宅・レンタカー連携サービスサーバにおいて、
前記制御部は、前記表示指示処理において、
前記入居日取得処理で取得した前記入居日情報の表す入居日に、前記希望車種情報の表す車種を貸し出しできない場合は、当該車種の貸し出しが可能な納車日情報を含む前記特定レンタカーサービスの内容を表示させるよう、前記表示指示信号を送信する
ことを特徴とする住宅・レンタカー連携サービスサーバ。
【請求項６】
請求項４記載の住宅・レンタカー連携サービスサーバにおいて、
前記制御部は、前記表示指示処理において、
前記入居日取得処理で取得した前記入居日情報の表す入居日に、前記希望車種情報の表す車種を貸し出しできない場合は、当該入居日に貸し出し可能な別の車種の貸し出しを含む前記特定レンタカーサービスの内容を表示させるよう、前記表示指示信号を送信する
ことを特徴とする住宅・レンタカー連携サービスサーバ。
【請求項７】
請求項１乃至６のいずれか１項記載の住宅・レンタカー連携サービスサーバにおいて、
前記制御部は、さらに、
前記特定物件情報に対し予め関連付けられたレンタカーの仕様条件であるレンタカー条件情報を前記住宅情報サーバから取得する条件情報取得処理を実行し、
前記表示指示処理において、
前記条件情報取得処理で取得した前記レンタカー条件情報の条件を満たす車種の貸し出しが可能な前記特定レンタカーサービスの内容を表示させるよう、前記表示指示信号を送信する
ことを特徴とする住宅・レンタカー連携サービスサーバ。
【請求項８】
ユーザに賃貸住宅の物件情報を提供する住宅情報サーバと、ユーザにレンタカーを貸し出すレンタカーサービスを提供するレンタカーサーバと、住宅・レンタカー連携サービスサーバとを備える住宅・レンタカー連携サービスシステムであって、
前記住宅・レンタカー連携サービスサーバは、
前記住宅情報サーバと前記レンタカーサーバの両方に通信可能な通信インタフェースと、
制御部と、
を有し、
前記制御部は、
前記住宅情報サーバから提供されユーザ端末において画面表示された少なくとも１つの特定物件情報に付加された図像に対しユーザによる所定操作がなされたことを、前記通信インタフェースを介して識別する操作識別処理と、
前記操作識別処理での前記所定操作の識別を契機に、当該所定操作がなされた前記図像に対応する前記特定物件情報に対し予め関連付けられた特定レンタカーサービスを提供可能な前記レンタカーサーバに対し、当該レンタカーサーバが提供する前記特定レンタカーサービスの内容を、前記特定物件情報を表示している前記ユーザ端末に表示させるよう、前記通信インタフェースを介し表示指示信号を送信する表示指示処理と、
を実行することを特徴とする住宅・レンタカー連携サービスシステム。
【請求項９】
ユーザに賃貸住宅の物件情報と、レンタカーを貸し出すレンタカーサービスを提供し、前記賃貸住宅及び前記レンタカーサービスの両方の契約を行う住宅・レンタカー契約サーバであって、
ユーザ端末に通信可能な通信インタフェースと、
制御部と、
を有し、
前記制御部は、
前記ユーザ端末において画面表示された少なくとも１つの特定物件情報に付加された図像に対しユーザによる所定操作がなされたことを、前記通信インタフェースを介して識別する操作識別処理と、
前記操作識別処理での前記所定操作の識別を契機に、当該所定操作がなされた前記図像に対応する前記特定物件情報に対し予め関連付けられた特定レンタカーサービスの内容を、前記特定物件情報を表示している前記ユーザ端末に表示させるよう、前記通信インタフェースを介し表示指示信号を送信する表示指示処理と、
を実行することを特徴とする住宅・レンタカー契約サーバ。
【発明の詳細な説明】
【技術分野】
【０００１】
本発明は、賃貸住宅サービスとレンタカーサービスの連携を図る住宅・レンタカー連携サービスサーバ、住宅・レンタカー連携サービスシステム、及び住宅・レンタカー契約サーバに関する。
【背景技術】
【０００２】
例えば特許文献１には、コンピュータの演算処理機能を利用して住居と乗用車を組み合わせて販売する住居販売システムが記載されている。
【先行技術文献】
【特許文献】
【０００３】
【特許文献１】特開２００８−２６９３６７号公報
【発明の概要】
【発明が解決しようとする課題】
【０００４】
現在の不動産契約としては、上記従来技術のように住居を購入する以外にも、例えば単身赴任などの目的で所定の地域にあるアパートなどの賃貸住宅を限定された期間だけ契約したい場合が多くある。そして、例えば車両を購入する意志のないユーザであっても、上記所定地域において公共交通機関が発達していないなどの理由から、上記賃貸物件と同等の期間で移動手段としてのレンタカーの貸し出しサービスを併せて契約したいという需要がある。しかしながら上記従来技術ではそのような賃貸物件とレンタカーを併せて契約する技術については開示されておらず、またユーザ自身が個別に契約する場合には手続きが煩雑となってしまいレンタカーに対する契約意志を損ねる可能性がある。
【０００５】
本発明の目的は、簡易な操作により賃貸住宅サービスとレンタカーサービスの両方の契約を連携して行うことができる住宅・レンタカー連携サービスサーバ、住宅・レンタカー連携サービスシステム、及び住宅・レンタカー契約サーバを提供することにある。
【課題を解決するための手段】
【０００６】
上記目的を達成するために、本願発明は、ユーザに賃貸住宅の物件情報を提供する住宅情報サーバ、及び、ユーザにレンタカーを貸し出すレンタカーサービスを提供するレンタカーサーバ、の両方に通信可能な通信インタフェースと、制御部と、を備えた住宅・レンタカー連携サービスサーバであって、前記制御部は、前記住宅情報サーバから提供されユーザ端末において画面表示された少なくとも１つの特定物件情報に付加された図像に対しユーザによる所定操作がなされたことを、前記通信インタフェースを介して識別する操作識別処理と、前記操作識別処理での前記所定操作の識別を契機に、当該所定操作がなされた前記図像に対応する前記特定物件情報に対し予め関連付けられた特定レンタカーサービスを提供可能な前記レンタカーサーバに対し、当該レンタカーサーバが提供する前記特定レンタカーサービスの内容を、前記特定物件情報を表示している前記ユーザ端末に表示させるよう、前記通信インタフェースを介し表示指示信号を送信する表示指示処理と、を実行することを特徴とする。
【発明の効果】
【０００７】
本発明によれば、簡易な操作により賃貸住宅サービスとレンタカーサービスの両方の契約を連携して行うことができる。
【図面の簡単な説明】
【０００８】
【図１】実施形態に係る住宅・レンタカー連携サービスシステムの概略的なシステム構成図である。
【図２】物件情報データベースの記録内容を模式的に表す図である。
【図３】会社データベースの記録内容を模式的に表す図である。
【図４】車種情報データベースの記録内容を模式的に表す図である。
【図５】車両情報データベースの記録内容を模式的に表す図である。
【図６】汎用パーソナルコンピュータに表示された賃貸物件検索サイト画面の表示の一例を表す図である。
【図７】汎用パーソナルコンピュータに表示されたレンタカー会社選択サイト画面の表示の一例を表す図である。
【図８】汎用パーソナルコンピュータに表示されたレンタカー車種選択サイト画面の表示の一例を表す図である。
【図９】住宅・レンタカー連携サービスシステムの検索予約フローを表す図である。
【図１０】１台の統合管理サーバだけで構成する場合の住宅・レンタカー連携サービスシステムの概略的なシステム構成図である。
【発明を実施するための形態】
【０００９】
以下、一実施の形態について図面を参照しつつ説明する。
【００１０】
＜概略的なシステム構成について＞
まず、図１を参照しつつ、本実施形態に係る住宅・レンタカー連携サービスシステムの概略的なシステム構成について説明する。なお、図１に示す本実施形態の住宅・レンタカー連携サービスシステム１の例では、ユーザが賃貸物件を優先的に選択し、その選択した賃貸物件を基準として利用できるレンタカーの車種を検索し選択する場合について説明する。
【００１１】
この図１において、本実施形態の例の住宅・レンタカー連携サービスシステム１は、不動産管理サーバ２と、仲介管理サーバ３と、レンタカー管理サーバ４とを有している。これら３つの管理サーバ２，３，４のそれぞれは、例えばインターネットなどの通信ネットワークＮＷを介して、一般的なユーザが所有、使用するユーザ端末５との間で、また３つの管理サーバ２，３，４どうしの間で各種の情報を送受可能となっている。
【００１２】
上記のユーザ端末５は、いわゆるスマートフォン、タブレット型ＰＣ、もしくはデスクトップ型またはノート型の汎用パーソナルコンピュータを利用できる。そして、スマートフォン及びタブレット型ＰＣの場合は、あらかじめ上記３つの管理サーバ２，３，４のいずれかからダウンロードし、インストールしたアプリケーションプログラムを利用することで各管理サーバ２，３，４との間の情報送受を行う。また、汎用パーソナルコンピュータの場合は、同様にインストールしたアプリケーションプログラム、もしくは同等のＷＥＢアプリケーションを利用して各管理サーバ２，３，４との間の情報送受を行う。
【００１３】
本実施形態において、不動産管理サーバ２は、日本全国又は特定地域に所在する賃貸住宅物件を扱う不動産業者が運用するサーバであり、当該不動産業者が扱う賃貸住宅の物件情報を記憶した物件情報データベース２１を備えている。仲介管理サーバ３は、不動産業者が提供する賃貸住宅サービスと、レンタカー会社が提供するレンタカーサービスとの連携を仲介する仲介業者が運用するサーバであり、本実施形態の例ではレンタカー会社に関する情報を記憶した物件情報データベース２１を備えている。レンタカー管理サーバ４は、日本全国又は特定地域を営業エリアとしてレンタカーの貸し出しを行うレンタカー会社が運用するサーバであり、当該レンタカー会社が扱うレンタカーの車種に関する情報を記憶した車種情報データベース４１と、レンタカーの各車両の個体に関する情報を記憶した車両情報データベース４２とを備えている。
【００１４】
なお、図中では不動産管理サーバ２とレンタカー管理サーバ４をそれぞれ１つのみ記載しているが、仲介業者は複数の不動産業者及び複数のレンタカー会社と提携し、各不動産業者及び各レンタカー会社がそれぞれ個別に不動産管理サーバ２とレンタカー管理サーバ４を所有し、運用しているものとする。また、各レンタカー会社が車両を貸し出すサービスの提供形態としてはレンタカーの形態に限られず、他にもリースやサブスクリプションなどであってもよい。なお、不動産管理サーバ２が各請求項記載の住宅情報サーバに相当し、仲介管理サーバ３が各請求項記載の住宅・レンタカー連携サービスサーバに相当し、レンタカー管理サーバ４が各請求項記載のレンタカーサーバに相当する。
【００１５】
＜各管理サーバについて＞
各管理サーバ２，３，４は、それぞれＣＰＵ、ＲＯＭ、ＲＡＭ、ＨＤＤ、フラッシュメモリ、通信インタフェースなどで構成されるコンピュータであり、上述した各データベース２１，３１，４１，４２と併せて通信制御処理、ＷＥＢサイト表示処理、各種の情報処理を実行する情報処理部（特に図示せず）を有している。なお、仲介管理サーバ３が備えるＣＰＵ（特に図示せず）が、各請求項記載の制御部に相当する。
【００１６】
不動産管理サーバ２が備える物件情報データベース２１は、当該物件情報データベース２１を運用する不動産業者が扱う賃貸物件に関する各種情報を記憶するデータベースである。この物件情報データベース２１には、例えば図２に示すように、賃貸物件（部屋）ごとに付与される物件ＩＤに対応して、物件名、住所、間取り、居住状況、賃料／管理費、レンタカー条件などの情報や、他にも図示しない契約ユーザに関する登録情報など多様な情報が記憶されている。なお、居住状況の項目については、その時点で当該物件が入居者のいない空き状態であるか、入居中である場合いつまで入居契約しているか、将来的にいつから入居する契約があるかの情報が記録される。
【００１７】
また、レンタカー条件の項目については、当該物件の共有敷地内にある駐車場を別途借りて車両を駐車する場合に、その駐車場を利用するための車両に必要とされる仕様条件に関する情報が記録される。このレンタカー条件は、不動産業者または当該物件のオーナーが予め設定し登録する情報であり、例えば当該物件の所在地の特性や駐車場の配置、構造、仕様、又は賃貸物件の契約などの事情から駐車対象の車両に制限される条件が設定される。具体的には、例えば適用可能な車種分類（乗用車、営業車、トラックなど）、車両の車高制限、寒冷地仕様の適用有無、５ナンバーの大型乗用車の適用可否、スライドドアの有無、禁煙車両、などがある。なお、物件自体に駐車場がない場合には同じ不動産業者が紹介可能な近隣の駐車場などを適用してもよい。
【００１８】
仲介管理サーバ３が備える会社データベース３１は、当該仲介管理サーバ３を運用する仲介業者が提携している複数のレンタカー会社に関する情報を記憶するデータベースである。会社データベース３１には、例えば図３に示すように、レンタカー会社ごとに付与される会社ＩＤに対応して、会社名、営業エリア、レンタカー条件、サイトＵＲＬ、などの情報が記録されている。なお、レンタカー条件の項目については、各レンタカー会社が予め設定し登録する情報であり、当該レンタカー会社が扱う車種や車両に適用される各種のレンタカー条件に関する情報が記録される。また、サイトＵＲＬの項目については、当該レンタカー会社が運用するレンタカー管理サーバ４へアクセスするためのＵＲＬ情報である。なお、この会社データベース３１が、各請求項記載の記憶部に相当する。
【００１９】
レンタカー管理サーバ４が備える車種情報データベース４１は、当該レンタカー管理サーバ４を運用するレンタカー会社が所有しているレンタカーの車種に関する情報を記憶するデータベースである。車種情報データベース４１には、例えば図４に示すように、車種ごとに付与される車種ＩＤに対応して、車種名、車種分類、レンタル料金、レンタカー条件、などの情報が記録されている。なお、図示する例では、レンタカー条件の一つである車種分類を別途単体の項目として記録している。また、レンタル料金の項目については、賃貸物件の賃料と同等に月単位での料金で設定されており、正規契約の月極料金であってもよいし賃貸物件との連携契約を前提として所定のマージンで低く設定した特別パック料金であってもよい。また、レンタカー条件の項目については、当該車種に適用される各種のレンタカー条件に関する情報が記録される。
【００２０】
レンタカー管理サーバ４が備える車両情報データベース４２は、当該レンタカー会社が所有しているレンタカーの各個体の車両に関する情報を記憶するデータベースである。車両情報データベース４２には、例えば図５に示すように、車両ごとに付与される車両ＩＤに対応して、車種ＩＤ、車両状況、レンタルユーザＩＤ、などの情報が記録されている。なお、車両状況の項目については、その時点で当該車両が貸し出されていないレンタル可能な状態であるか、整備中であればいつまで整備するか、レンタル中であればいつまで契約しているか、将来的にいつからレンタルされる契約があるかの情報が記録される。また、レンタルユーザＩＤの項目については、当該レンタカー会社を利用するにあたって別途予め登録されているユーザのＩＤ情報であり、特に図示しないユーザ登録データベースから取得してもよいし、上記不動産管理サーバ２が管理するユーザＩＤを共有してもよい。
【００２１】
＜各管理サーバのＷＥＢサイト画面について＞
次に、各管理サーバ２，３，４がそれぞれユーザ端末５に対して表示する具体的なＷＥＢサイト画面の例と、当該ＷＥＢサイト画面におけるユーザの操作内容などについて説明する。なお、各ＷＥＢサイト画面は、汎用パーソナルコンピュータをユーザ端末５とした場合のＧＵＩ画面の例で示している。
【００２２】
まず本実施形態の例では、上述したように、先に入居したい賃貸物件を探すことを優先して最初にユーザがユーザ端末５を操作し、不動産管理サーバ２が提示する賃貸物件検索サイトにアクセスする。そして、特に図示しない別途の検索画面において入力された希望入居地域、希望入居日、賃料価格帯などの多様な検索条件に基づいて上記物件情報データベース２１を検索した結果が、例えば図６に示すようなＷＥＢサイト画面に表示される。図示する例のＷＥＢサイト画面では、予め入力された希望入居日とともに、検索条件を満たす物件住宅（図示する例では「＊＊＊ハイツ」）と、その物件住宅において希望入居日に入居可能な賃貸物件が部屋単位で一覧表示されている。なお、この物件住宅と賃貸物件に関する情報が各請求項記載の特定物件情報に相当し、希望入居日の情報が各請求項記載の入居部情報に相当する。
【００２３】
そして当該物件住宅が駐車場を利用できてレンタカーサービスも併せて契約可能である場合には、ＷＥＢサイト画面に図示するような自動車アイコンＩｃ（図像に相当）も表示される。レンタカーサービスも併せて希望するユーザがカーソルＣを自動車アイコンＩｃに重ねてクリック（所定操作に相当）することで、ユーザ端末５のアクセスが仲介管理サーバ３へ誘導され、図７に示すようなレンタカー会社選択サイト画面が表示される。
【００２４】
図示する例のレンタカー会社選択サイト画面は、当該ＷＥＢサイト画面でのユーザ操作の説明メッセージとともに、レンタカー条件の情報と選択対象の複数のレンタカー会社のバナーアイコンＢｎが表示される。レンタカー条件は、上記賃貸物件検索サイトで選択対象となっている物件住宅（賃貸物件）に対応して不動産管理サーバ２が物件情報データベース２１から取得したレンタカー条件の内容であり、図示する例のレンタカー条件には希望入居日と同じ日に設定されたレンタル開始日も含めて表示されている。そしてレンタカー会社のバナーアイコンＢｎは、営業エリアが選択対象の賃貸物件の住所に対応し、かつ上記レンタカー条件を満たすレンタカー会社のものだけを仲介管理サーバ３が会社データベース３１から検索して表示されている。ユーザは、希望するレンタカー会社のバナーアイコンＢｎにカーソルＣを重ねてクリックすることで、ユーザ端末５のアクセスが対応するレンタカー会社の所有するレンタカー管理サーバ４へ誘導され、図８に示すようなレンタカー車種選択サイト画面が表示される。なお、バナーアイコンＢｎが表示されたレンタカー会社が提供するレンタカーサービスが、各請求項記載の特定レンタカーサービスに相当する。
【００２５】
図示する例のレンタカー車種選択サイト画面は、当該ＷＥＢサイト画面でのユーザ操作の説明メッセージとともに、レンタカー条件と選択対象の複数のレンタカーの車種の情報が表示される。ユーザは希望する車種を選択操作することで、別途図示しない契約画面へ誘導される。レンタカー条件は、上記レンタカー会社選択サイト画面で表示したものと同じである。そして表示されるレンタカーの車種は、そのレンタカー条件を満たすとともに、車両状況がレンタル開始日に適合する車両（つまりレンタル開始日にレンタル可能な車両）を用意できる車種だけを、レンタカー管理サーバ４が車種情報データベース４１及び車両情報データベース４２から検索して表示されている。ただし、レンタル開始日については例えば１ヶ月程度の所定の期間差で許容してもよく、その場合には当該車種の貸し出しが可能な納車日（図示する例では「２／２６〜」：納車日情報に相当）を表示する。そして、レンタル開始日に間に合わない車種をユーザが選択した場合には、別途図示しないＷＥＢサイト画面でレンタル開始日に間に合う車種（別の車種）での代車契約を行う。また、車種が選択された後にさらに別途図示しないＷＥＢサイト画面で排気量などのスペック別でグレード選択できるようにしてもよい。なお、ユーザが選択した車種の情報が、各請求項記載の希望車種情報に相当する。
【００２６】
＜処理フローについて＞
次に、当該住宅・レンタカー連携サービスシステム１において実行される各処理でのフローを、図９を参照しつつ説明する。まず、当該住宅・レンタカー連携サービスシステム１についての情報が、別途のＷＥＢサーバや宣伝などを介して一般的に広く公開されている（特に図示せず）。
【００２７】
そしてステップＳＴ１で、住宅・レンタカー連携サービスシステム１に興味を持ったユーザが当該システムを利用するためにユーザ端末５を使用して不動産管理サーバ２へアクセスする。
【００２８】
次にステップＳＴ２で、ユーザからのアクセスを受けた不動産管理サーバ２がユーザ端末５に賃貸物件検索サイトのＷＥＢサイト画面データを送信して表示させる。
【００２９】
そして次のステップＳＴ３で、ユーザが賃貸物件検索サイトのＷＥＢサイト画面上で希望する条件を満たす賃貸物件と、それに対応するレンタカー連携提供サービス（図中では「レンタカーパック」と略記）の自動車アイコンＩｃを選択操作することで、それらの操作内容に関する情報が不動産管理サーバ２へ送信される。なお、この時点ではユーザからの希望入居日の入力だけ必須とし、賃貸物件に対する具体的な契約の有無は不要とする。
【００３０】
次にステップＳＴ４で、不動産管理サーバ２はユーザ端末５から受信した操作内容に基づいて、選択対象の賃貸物件に対応する物件住所とレンタカー条件を上記物件情報データベース２１から検索し、取得する。また、受信した操作内容からレンタル開始日としての希望入居日も取得する（図示省略）。
【００３１】
そしてステップＳＴ５で、上記ステップＳＴ４で取得した物件住所とレンタカー条件を仲介管理サーバ３へ送信する。なおこのとき、希望入居日やユーザ端末５のＩＰアドレスなどの情報も送信する（図示省略）。またこのときに仲介管理サーバ３において不動産管理サーバ２から送信された情報を受信する処理が、各請求項記載の操作識別処理、入居日取得処理、及び条件情報取得処理に相当する。
【００３２】
次にステップＳＴ６で、仲介管理サーバ３は受信した情報に基づいて、営業エリアが選択対象の賃貸物件の住所に対応し、かつ上記レンタカー条件を満たすレンタカー会社を会社データベース３１から検索する。
【００３３】
そして次のステップＳＴ７では、ユーザ端末５のアクセスを誘導し、上記レンタカー条件とともに上記ステップＳＴ６で検索したレンタカー会社のバナーアイコンＢｎを表示するレンタカー会社選択サイトのＷＥＢサイト画面データを送信して表示させる。
【００３４】
次のステップＳＴ８では、ユーザがレンタカー会社選択サイトのＷＥＢサイト画面上で希望するレンターカー会社のバナーアイコンＢｎを選択操作することで、それらの操作内容に関する情報が仲介管理サーバ３へ送信される。なお、このステップＳＴ８でユーザが前のサイトへ戻る操作を行った場合には、不動産管理サーバ２がユーザ端末５のアクセスを誘導して上記ステップＳＴ３へ戻るようにする（図示省略）。
【００３５】
次のステップＳＴ９では、仲介管理サーバ３は選択されたレンタカー会社のレンタカー管理サーバ４に対してレンタカー条件の情報を送信する。なおこのとき、希望入居日やユーザ端末５のＩＰアドレスなどの情報も送信する（図示省略）。このステップＳＴ９の手順が各請求項記載の表示指示処理に相当し、仲介管理サーバ３がレンタカー管理サーバ４へ送信する信号が各請求項記載の表示指示信号に相当する。
【００３６】
次にステップＳＴ１０で、レンタカー管理サーバ４は受信した情報に基づいて、レンタカー条件を満たすとともにその時点でレンタル開始日にレンタル可能な車両を用意できる車種を、車種情報データベース４１及び車両情報データベース４２から検索する。なお上述したように、レンタル開始日については例えば１ヶ月程度の所定の時間差で許容してもよい。
【００３７】
そして次のステップＳＴ１１では、ユーザ端末５のアクセスを誘導し、上記レンタカー条件とともに上記ステップＳＴ１０で検索した車種の情報を表示するレンタカー車種選択サイトのＷＥＢサイト画面データを送信して表示させる。
【００３８】
次のステップＳＴ１２では、ユーザがレンタカー車種選択サイトのＷＥＢサイト画面上で希望するレンタカーの車種を選択し契約するよう操作することで、それらの操作内容に関する情報がレンタカー管理サーバ４へ送信される。なお、このステップＳＴ１２でユーザが前のサイトへ戻る操作を行った場合には、仲介管理サーバ３がユーザ端末５のアクセスを誘導して上記ステップＳＴ８へ戻るようにする（図示省略）。
【００３９】
次のステップＳＴ１３で、レンタカー管理サーバ４は受信した情報に基づいて、レンタカー又は代車の契約を確定し、その成約についての情報を不動産管理サーバ２へ送信する。なお、このステップＳＴ１３の手順が、各請求項記載の車種取得処理に相当する。また特に図示しないが、その成約情報を受信した不動産管理サーバ２は、必要に応じてユーザ端末５との間で賃貸物件の契約を継続する。そして、このフローを終了する。
【００４０】
＜本実施形態による効果＞
以上説明したように、本実施形態の住宅・レンタカー連携サービスシステム１は、仲介管理サーバ３が、ユーザ端末５における賃貸物件検索サイトの表示で特定の物件情報に付加された自動車アイコンＩｃがクリックされたことをステップＳＴ５での情報送受により識別した際に、その物件情報に対して予め関連付けられた特定のレンタカーサービスを提供可能なレンタカー管理サーバ４に対し、その特定のレンタカーサービスの内容を上記のユーザ端末５に表示させるよう指示する。
【００４１】
これにより、賃貸サービスの契約とレンタカーサービスの契約をユーザ自身でそれぞれ個別に行わずとも、システム側で自動的に連携して行うことができ、すなわち自分が住む住宅を車付きでセットで借りることができる。そしてこの連携契約を具体的に行うためには自動車アイコンＩｃをクリックするだけの簡易な操作でよい。この結果、簡易な操作により賃貸住宅サービスとレンタカーサービスの両方の契約を連携して行うことができる。
【００４２】
また、本実施形態では特に、仲介管理サーバ３が、予め不動産管理サーバ２から取得された複数の物件情報と、予めレンタカー管理サーバ４から取得された、複数の物件情報に対応する複数のレンタカーサービスの内容と、が互いに関連付けて記憶された会社データベース３１を有しており、クリックされた自動車アイコンＩｃに対応する１つの物件情報に対し会社データベース３１に関連付けて記憶された１つの特定のレンタカーサービスを提供可能なレンタカー管理サーバ４に対し、１つの特定レンタカーサービスの内容をユーザ端末５に表示させる指示信号をレンタカー管理サーバ４へ送信する。これにより、会社データベース３１への事前登録により、迅速かつ円滑に賃貸サービスとレンタカーサービスのマッチングを行うことができる。
【００４３】
また、本実施形態では特に、ユーザ端末５における入力に応じて送信される希望入居日の情報を取得し、その取得した希望入居日と同等のレンタル開始日に対応して提供可能な特定のレンタカーサービスの内容をユーザ端末５に表示させる。これにより、賃貸物件への入居日に合わせて、その時点で利用できるレンタカーサービスの内容をユーザ端末５に表示させることができる。
【００４４】
また、本実施形態では特に、ユーザ端末５において入力されるレンタカーの希望車種の情報を取得し、取得した希望入居日に、希望車種を貸し出しできる場合は、当該車種の貸し出しを含む特定のレンタカーサービスの内容をユーザ端末５に表示させる。これにより、賃貸物件の入居日に合わせて、その入居日に確実に利用できる車種をユーザ端末５に表示させることができる。
【００４５】
また、本実施形態では特に、取得した希望入居日に、希望車種を貸し出しできない場合は、当該車種の貸し出しが可能な納車日の情報を含む特定のレンタカーサービスの内容をユーザ端末５に表示させる。これにより、希望車種が賃貸物件の入居日に間に合わないとき、何日待てばその車種を利用できるのかをユーザに報知できる。
【００４６】
また、本実施形態では特に、取得した希望入居日に、希望車種を貸し出しできない場合は、当該希望入居日に貸し出し可能な別の車種の貸し出しを含む特定のレンタカーサービスの内容をユーザ端末５に表示させる。これにより、希望車種が賃貸物件への入居日に間に合わないとき、その納車までの間に別の代車を貸し出すことでユーザの不便を解消できる。
【００４７】
また、本実施形態では特に、物件情報に対し予め関連付けられたレンタカーの仕様条件であるレンタカー条件を不動産管理サーバ２から取得し、その取得したレンタカー条件を満たす車種の貸し出しが可能な特定のレンタカーサービスの内容をユーザ端末５に表示させる。これにより、ユーザからは容易に知り得ることができない賃貸物件側の事情とレンタカー側の事情によって一緒に契約できない賃貸物件とレンタカー車種の組み合わせが存在するところ、賃貸物件の方を優先して無駄な車種の契約を回避することができる。
【００４８】
なお、上記実施形態では、不動産業者と仲介業者とレンタカー会社がそれぞれ管理サーバ２，３，４を所有し、それらを連携して運用する場合について説明したが、これに限られない。他にも、図１０に示すように、単独の契約管理業者が単体の統合管理サーバ６を運用して賃貸物件サービスとレンタカーサービスを連携して両方の契約を行う構成としてもよい。この場合の統合管理サーバ６には、レンタカー会社を選択する必要がないため会社データベース３１が不要であり、物件情報データベース２１、車種情報データベース４１、及び車両情報データベース４２を備えるだけでよい。なお、この統合管理サーバ６が、各請求項記載の住宅・レンタカー契約サーバに相当する。
【００４９】
また、上記実施形態では、ユーザが賃貸物件を優先的に選択し、その選択した賃貸物件を基準として利用できるレンタカーの車種を検索し選択する場合について説明したが、これに限られない。他にも、レンタカーの希望車種を優先的に選択し、その選択した車種を基準として利用できる賃貸物件を検索して選択できるようにしてもよい。
【００５０】
また、以上既に述べた以外にも、上記実施形態や各変形例による手法を適宜組み合わせて利用しても良い。
【００５１】
その他、一々例示はしないが、本発明は、その趣旨を逸脱しない範囲内において、種々の変更が加えられて実施されるものである。
【符号の説明】
【００５２】
１                住宅・レンタカー連携サービスシステム
２                不動産管理サーバ（住宅情報サーバ）
３                仲介管理サーバ（住宅・レンタカー連携サービスサーバ）
４                レンタカー会社管理サーバ（レンタカーサーバ）
５                ユーザ端末
６                統合管理サーバ
２１              物件情報データベース
３１              会社データベース（記憶部）
４１              車種情報データベース
４２              車両情報データベース
【要約】
【課題】簡易な操作により賃貸住宅サービスとレンタカーサービスの両方の契約を連携して行う。
【解決手段】ユーザに賃貸住宅の物件情報を提供する不動産管理サーバ２、及び、ユーザにレンタカーを貸し出すレンタカーサービスを提供するレンタカー管理サーバ４、の両方に通信可能な仲介管理サーバ３であって、不動産管理サーバ３から提供されユーザ端末５に表示された特定の物件情報に対してユーザによりレンタカーサービスの連携指示が行われたことを識別し、連携指示された特定の物件情報に対し予め関連付けられた特定のレンタカーサービスを提供可能なレンタカー管理サーバ４に対し、当該レンタカー管理サーバ４が提供する特定のレンタカーサービスの内容を、特定の物件情報を表示しているユーザ端末５に表示させる。
【選択図】図１【図１】
0006905780.tif 000002
【図２】
0006905780.tif 000003
【図３】
0006905780.tif 000004
【図４】
0006905780.tif 000005
【図５】
0006905780.tif 000006
【図６】
0006905780.tif 000007
【図７】
0006905780.tif 000008
【図８】
0006905780.tif 000009
【図９】
0006905780.tif 000010
【図１０】
0006905780.tif 000011